【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
ビデオデジタルフィンガープリンティングを行うためのコンピュータ実行可能命令を備える１つまたは複数のコンピュータ読み出し可能な記録媒体であって、前記コンピュータ実行可能命令は、
保護されるビデオを時間的脱同期化する命令と、
前記ビデオを空間的脱同期化する命令と、
前記時間的脱同期化および前記空間的脱同期化により変更された、前記ビデオのフィンガープリント入りコピーを作成する命令と
を含み、
前記ビデオの複数のフィンガープリント入りコピーの組み合わせが、視覚的アーチファクトを有する共謀ビデオをもたらすことを特徴とするコンピュータ読み出し可能な記録媒体。
【請求項２】
前記ビデオを時間的脱同期化することは、アフィンワーピング解を適用することを含み、前記アフィンワーピング解は、
前記ビデオ内のフレームＦ1からフレームＦ2へのアフィンワーピングを記述する方程式を導出する命令と、
前記方程式から導出された最小化問題を解くことにより前記ワーピングを記述するパラメータベクトルを求める命令と
を含むことを特徴とする請求項１に記載のコンピュータ読み出し可能な記録媒体。
【請求項３】
前記ビデオを時間的脱同期化することは、アフィンワーピング解を適用することを含み、前記アフィンワーピング解は、
Ｆ1からＦ2へのワーピング行列Ｗを評価する命令と、
順方向および逆方向アフィン行列を計算する命令と、
ワープ座標でＦ1およびＦ2をリサンプリングすることにより順方向および逆方向ワープフレームを取得する命令と、
非整数座標を補間して出力値を生成する命令と
を含むことを特徴とする請求項１に記載のコンピュータ読み出し可能な記録媒体。
【請求項４】
前記ビデオを時間的脱同期化することは、オプティカルフロー解および運動ベクトルスイッチング解のうちの少なくとも１つを適用することを含み、前記オプティカルフロー解は、
運動の前後のある点（ｘ，ｙ）に対し一定の輝度ｆを仮定する命令と、
∇ｆをｆの空間勾配ベクトルとするフロー方程式を導出する命令と、
∇ｆならびに評価された前記輝度の空間勾配および時間勾配を使用して前記ビデオをサンプリングするために使用する運動ベクトルを計算する命令と
を含み、前記運動ベクトルスイッチング解は、
複数の対のワープフレームを生成する命令と、
運動ベクトルを前記ワープフレームのそれぞれの対に関連付け、これにより、複数の運動ベクトルを取得する命令と、
誤差関数を前記運動ベクトルのそれぞれに適用する命令と、
前記誤差関数を使用して、前記複数の運動ベクトルのうちから前記時間的脱同期化で使用する運動ベクトルを選択する命令と
を含むことを特徴とする請求項１に記載のコンピュータ読み出し可能な記録媒体。
【請求項５】
前記ビデオを時間的脱同期化することは、運動補正時間的補間解を適用することを含み、前記運動補正時間的補間解は、
Ｆ1およびＦ2を時刻インスタンスに向かってワープすることによりＧ1およびＧ2を生成する命令と、
Ｇ1およびＧ2をＦ1およびＦ2の関数としてリサンプリングする命令と、
前記補間フレームＦをＧ1およびＧ2の関数として取得する命令と
を含むことを特徴とする請求項１に記載のコンピュータ読み出し可能な記録媒体。
【請求項６】
前記ビデオを空間的脱同期化することは、ランダムベンディング解を含み、前記ランダムベンディング解は、
キーを使用して、擬似ランダムサンプリンググリッドを生成する命令と、
行と列の両方に関して、サンプリング位置の順序付けを保存する命令と、
閾値よりも大きな面積を有するすべての領域をサンプリングする命令と、
サンプリングされた位置について周期的に摂動ベクトルを生成する命令と、
補間により前記摂動ベクトルを平滑化する命令と
を含むことを特徴とする請求項１に記載のコンピュータ読み出し可能な記録媒体。
【請求項７】
前記ビデオを空間的脱同期化することは、輝度フィルタ処理を含み、前記輝度フィルタ処理は、
対称輝度フィルタを作成する命令と、
知覚的品質を高め、前記ビデオの前記フィンガープリント入りコピー中のランダム性を高めるために、前記フィルタ内でパラメータを選択する命令と
を含むことを特徴とする請求項１に記載のコンピュータ読み出し可能な記録媒体。
【請求項８】
前記ビデオを空間的脱同期化することは、パラメータ離散化を含み、前記パラメータ離散化は、
フレームに対し回転演算を実行する命令と、
前記フレームと前記回転されたフレームとの平均をとる命令と、
平均されたフレーム内に知覚的アーチファクトを結果として生じる前記回転演算の実行に使用される小さな値を決定する命令と、
前記小さな値を前記フィンガープリント入りコピーを作成する際の離散ステップサイズとして使用する命令と、
スケーリングおよび平行移動演算について反復する命令と
を含むことを特徴とする請求項１に記載のコンピュータ読み出し可能な記録媒体。
【請求項９】
前記ビデオを空間的脱同期化することは、時間的平滑化およびパラメータ分布のうちの少なくとも１つの命令を含み、前記時間的平滑化は、
フレームの個数Ｎ毎に前記ビデオ内でフレームを空間的脱同期化するために使用される回転、スケーリング、および平行移動ならびに輝度フィルタ処理パラメータを生成する命令と、
補間してＮ個のフレームからなる群の間の中間フレーム内でパラメータ場を取得する命令と
を含み、前記パラメータ分布は、
フレームＦ1およびフレームＦ2に関連付けられた回転、スケーリング、平行移動、およびランダムベンディングのパラメータの間隔をあけることにより、前記ビデオのフレームＦのフィンガープリント入りコピー１およびコピー２内で関連付けられているフレームＦ1およびＦ2を分離する命令と、
閾値を超えたパラメータの分布のエントロピーの関数となっているランダム性制約条件を前記パラメータに導入する命令と
を含むことを特徴とする請求項１に記載のコンピュータ読み出し可能な記録媒体。
【請求項１０】
ビデオデジタルフィンガープリンティングを行うためのコンピュータ実行可能命令を備える１つまたは複数のコンピュータ読み出し可能な記録媒体であって、前記コンピュータ実行可能命令は、
保護されるビデオに第１および第２の時間的脱同期化を適用する命令と、
前記ビデオに第１および第２の空間的脱同期化を適用する命令と、
前記時間的脱同期化と前記空間的脱同期化に応じて前記ビデオの第１および第２のフィンガープリント入りコピーを作成する命令とを含み、
前記第１および第２のフィンガープリント入りコピーを共謀ビデオ中に組み込むことで、知覚的アーチファクトを生じさせることを特徴とするコンピュータ読み出し可能な記録媒体。
【請求項１１】
時間的脱同期化を適用することは、前記ビデオのフレームサンプリングに関連付けられている時間指数をランダム時間指数で置き換える命令を含むことを特徴とする請求項１０に記載のコンピュータ読み出し可能な記録媒体。
【請求項１２】
空間的脱同期化を適用することは、複数のフレームに適用される大域演算の命令と個別のフレームに適用される局所演算の命令とを含むことを特徴とする請求項１０に記載のコンピュータ読み出し可能な記録媒体。
【請求項１３】
ビデオデジタルフィンガープリンティングを行うためのコンピュータ実行可能命令を備える１つまたは複数のコンピュータ読み出し可能な記録媒体であって、前記コンピュータ実行可能命令は、
擬似ランダム時間指数を使用することにより、保護されるビデオを時間的脱同期化する命令と、
ランダムベンディング演算と組み合わせて回転、スケーリング、および平行移動演算を適用することにより、前記ビデオを空間的脱同期化する命令と、
前記時間的脱同期化および空間的脱同期化により変更された、前記ビデオのフィンガープリント入りコピーを作成する命令と
を含み、
前記ビデオの複数のコピーであって、それぞれが時間的脱同期化および空間的脱同期化を有する複数のコピーの組み合わせが、視覚的アーチファクトを伴う前記ビデオのコピーをもたらすことを特徴とするコンピュータ読み出し可能な記録媒体。
【請求項１４】
前記時間的脱同期化は、パラメータベクトルが前記ビデオ内のフレームを変更するために使用される、アフィンワーピング解を前記リサンプリングに適用する命令を含むことを特徴とする請求項１３に記載のコンピュータ読み出し可能な記録媒体。
【請求項１５】
前記空間的脱同期化は、前記回転、スケーリング、および平行移動演算を大域的に、前記ランダムベンディング演算を局所的に適用する命令を含むことを特徴とする請求項１３に記載のコンピュータ読み出し可能な記録媒体。